(57)【特許請求の範囲】
【請求項１】
往復動体が内装されたポンプヘッドの吸入ポート及び吐出ポートのそれぞれに逆止弁が流体的に接続された往復動ポンプを備え、流体を圧送する一次側配管系から分岐した分岐配管に流体的に接続される往復動ポンプユニットであって、一次側配管系と吸入ポート側の逆止弁とを流体的に接続する接続用配管系を備え、該接続用配管系は、流体を流出入可能に構成されたバッファタンクと、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに連続的に切り換えるように構成された流路切換手段とを備えたことを特徴とする往復動ポンプユニット。
【請求項２】
前記往復動ポンプを二つ備えて無脈動ポンプとして構成され、前記接続用配管系は、二系統設けられると共に、各接続用配管系が各往復動ポンプの吸入ポート側の流路を合流させた共通ポートを介して各往復動ポンプの吸入ポート側の逆止弁に流体的に接続され、何れか一方の接続用配管系における流路切換手段が第一状態にあるときに、他方の接続用配管系における流路切換手段が第二状態となるよう、各接続配管系の流路切換手段の状態を交互に切り換えるように構成されている請求項１記載の往復動ポンプユニット。
【請求項３】
前記往復動ポンプを二つ備えて無脈動ポンプとして構成され、前記接続用配管系は、一系統設けられると共に、各往復動ポンプの吸入ポート側の流路を合流させた共通ポートを介して各往復動ポンプの吸入ポート側の逆止弁に流体的に接続され、流路切換手段と共通ポートとの間に流体を流出入可能に構成された補助タンクを更に備えている請求項１記載の往復動ポンプユニット。
【請求項４】
前記往復動ポンプを二つ備えて無脈動ポンプとして構成され、前記接続用配管系が往復動ポンプに対応して二系統設けられると共に、各接続用配管系が各往復動ポンプの吸入ポート側の逆止弁のそれぞれに流体的に接続され、何れか一方の接続用配管系における流路切換手段が第一状態にあるときに、対応する往復動ポンプによる吸入及び吐出のタイミングに対応して他方の接続用配管系における流路切換手段が第二状態となるよう、各接続配管系の流路切換手段の状態を交互に切り換えるように構成されている請求項１記載の往復動ポンプユニット。
【請求項５】
前記流路切換手段は、バッファタンクの一次側及び二次側のそれぞれに設けられた一対の二方弁で構成され、何れか一方の二方弁が開放状態であるときに他方の二方弁が閉鎖状態になるように構成されている請求項１乃至４の何れかに記載の往復動ポンプユニット。
【請求項６】
前記流路切換手段は、三方弁で構成され、該三方弁の三つのポートのうち、二つのポートのいずれにも連通可能な主ポートにバッファタンクが接続されている請求項１乃至４の何れかに記載の往復動ポンプユニット。
【請求項７】
前記バッファタンクは、タンク本体と、蓋部材と、タンク本体及び蓋部材に外周縁部が挟まれて取り付けられる弾性変形自在なダイヤフラムとを備え、タンク本体は、往復動ポンプに供給するための流体を流出入させる開口が形成された剛性を有する内周壁面を備え、該内周壁面とダイヤフラムとによって流体を貯留する貯留空間が形成され、ダイヤフラムが該貯留空間を画定する面とは反対側の面側と対向する蓋部材の部位に、外部に連通した空気穴が形成され、貯留空間内に流体が入った状態でダイヤフラムが非弾性変形状態となるように構成されている請求項１乃至６の何れかに記載の往復動ポンプユニット。
【請求項８】
往復動体が内装されたポンプヘッドの吸入ポート及び吐出ポートのそれぞれに逆止弁が流体的に接続され、吸入ポート側の逆止弁に一次側配管系を流体的に接続可能に構成された往復動ポンプに対し、一次側配管系から分岐した分岐配管に流体的に接続させるための往復動ポンプ接続用配管構造体であって、一次側配管系と吸入ポート側の逆止弁とを流体的に接続する接続用配管系を備え、該接続用配管系は、流体を流出入可能に構成されたバッファタンクと、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに連続的に切り換えるように構成された流路切換手段とを備えたことを特徴とする往復動ポンプ接続用配管構造体。
【請求項９】
前記往復動ポンプを二つ備えた無脈動ポンプを接続対象とし、各往復動ポンプの吸入ポート側の流路を合流させて形成された共通ポートを介して各往復動ポンプの吸入ポート側の逆止弁に一次側配管系を流体的に接続するための往復動ポンプ接続用配管構造体であって、前記接続用配管系は、前記共通ポートに接続可能に二系統設けられ、何れか一方の接続用配管系における流路切換手段が第一状態にあるときに、他方の接続用配管系における流路切換手段が第二状態となるよう、各接続配管系の流路切換手段の状態を交互に切り換えるように構成されている請求項８記載の往復動ポンプ接続用配管構造体。
【請求項１０】
前記往復動ポンプを二つ備えた無脈動ポンプを接続対象とし、各往復動ポンプの吸入ポート側の流路を合流させて形成された共通ポートを介して各往復動ポンプの吸入ポート側の逆止弁に一次側配管系を流体的に接続するための往復動ポンプ接続用配管構造体であって、前記接続用配管系は、前記共通ポートに接続可能に一系統設けられ、流路切換手段と共通ポートとの間に流体を流出入可能に構成された補助タンクを更に備えている請求項８記載の往復動ポンプ接続用配管構造体。
【請求項１１】
前記往復動ポンプを二つ備えた無脈動ポンプを接続対象とした往復動ポンプ接続用配管構造体であって、前記接続用配管系が往復動ポンプに対応して二系統設けられると共に各接続用配管系が各往復動ポンプの吸入ポート側の逆止弁のそれぞれに流体的に接続可能に構成され、何れか一方の接続用配管系における流路切換手段が第一状態にあるときに、対応する往復動ポンプによる吸入及び吐出のタイミングに対応して他方の接続用配管系における流路切換手段が第二状態となるよう、各接続配管系の流路切換手段の状態を交互に切り換えるように構成されている請求項８記載の往復動ポンプ接続用配管構造体。
【請求項１２】
前記流路切換手段は、バッファタンクの一次側及び二次側のそれぞれに設けられた一対の二方弁で構成され、何れか一方の二方弁が開放状態であるときに他方の二方弁が閉鎖状態になるように構成されている請求項８乃至１１の何れかに記載の往復動ポンプ接続用配管構造体。
【請求項１３】
前記流路切換手段は、三方弁で構成され、該三方弁の三つのポートのうち、二つのポートのいずれにも連通可能な主ポートにバッファタンクが接続されている請求項８乃至１１の何れかに記載の往復動ポンプ接続用配管構造体。
【請求項１４】
前記バッファタンクは、タンク本体と、蓋部材と、タンク本体及び蓋部材に外周縁部が挟まれて取り付けられる弾性変形自在なダイヤフラムとを備え、タンク本体は、往復動ポンプに供給するための流体を流出入させる開口が形成された剛性を有する内周壁面を備え、該内周壁面とダイヤフラムとによって流体を貯留する貯留空間が形成され、ダイヤフラムが該貯留空間を画定する面とは反対側の面側と対向する蓋部材の部位に、外部に連通した空気穴が形成され、貯留空間内に流体が入った状態でダイヤフラムが非弾性変形状態となるように構成されている請求項８乃至１３の何れかに記載の往復動ポンプ接続用配管構造体。
【発明の詳細な説明】
【技術分野】
【０００１】
本発明は、往復動体が内装されたポンプヘッドの吸入ポート及び吐出ポートのそれぞれに逆止弁が流体的に接続された往復動ポンプを備え、吸入ポートに吐出ポート側よりも流体圧の高い一次側配管系が接続される往復動ポンプユニット、及び往復動ポンプの吸入ポートに吐出ポート側よりも流体圧の高い一次側配管系を接続するための往復動ポンプ接続用配管構造体に関する。
【背景技術】
【０００２】
従来から、流体を一次側から二次側に向けて送る容積型ポンプの一つとして、往復動ポンプが周知である。かかる往復動ポンプとしては、ダイヤフラムポンプやピストンポンプ等が挙げられ、これらは、往復動体が内装されたポンプヘッドの吸入ポート及び吐出ポートのそれぞれに逆止弁が流体的に接続されており、ポンプ単体として構築されたり、配管系の一部や駆動源等と共にユニット化されたりして構築されている。
【０００３】
前記逆止弁は、ハウジング内に弁体が移動可能に内装されており、流体が一次側から二次側に向けて流動するに際し、その圧力によって弁体がハウジング内で二次側に移動して、流路が確保される一方、流体の流通が停止して圧力が低下したときに、弁体の自重等が作用して該弁体がハウジング内の弁座に密着し、二次側に向けて流れた流体がハウジングに向けて逆流するのを防止できるように構成されている。
【０００４】
上記構成の往復動ポンプ（ユニット）は、往復動体を作動させてポンプヘッド内に流体を吸入する（吸い込む）に際し、吸入ポート側の逆止弁の流路が開放する一方で、二次側の逆止弁の流路が閉塞し、ポンプヘッド内の流体を二次側に押し出すに際し、吸入ポート側の逆止弁の流路が閉塞する一方、二次側の逆止弁の流路が開放するように構成されている。即ち、ポンプヘッドに接続された一次側及び二次側の逆止弁は、一次側から二次側に向けての流体の流動のみ許容するように設けられており、これによって、ポンプヘッド内の往復動体の往復動で流体の吸入及び吐出を円滑且つ確実に行え得るように構成されている（例えば、特許文献１参照）。
【特許文献１】特開２００３−２０１９６９号公報
【発明の開示】
【発明が解決しようとする課題】
【０００５】
ところで、上記構成の往復動ポンプ（往復動ポンプユニット）は、吸入ポート側の逆止弁に吐出ポート側よりも流体圧の高い一次側配管系が流体的に接続される場合がある。即ち、上記構成の往復動ポンプ（往復動ポンプユニット）は、流体を循環させるべく流体を圧送するポンプを備えた循環ラインから分岐した分岐配管や、流体を圧送する主配管から分岐した分岐配管に等に接続される場合がある。
【０００６】
この場合、一次側配管系からの流体の流体圧が高いため、上記構成の往復動ポンプ（往復動ポンプユニット）の逆止弁の弁体が、一次側の流体圧で二次側に押され、逆止弁内の流路を閉塞しなければならないタイミングであっても、流路を閉塞させることができないといった現象が発生する場合があった。特に、弁体の自重によって流路を閉塞するように構成された逆止弁の場合には、一次側配管系からの流体圧の影響を受けやすく、流路の開閉を適正に行うことができなくなることが顕著である。
【０００７】
そのため、往復動ポンプのポンプヘッドによる流体の吸入と吐出とを適正な状態で行うことができないといった問題があった。即ち、往復動ポンプは、往復動体の往復動と、逆止弁による流路の開閉とによって流体の吸入と吐出とを行うため、上述の如く、一次側配管系の流体圧によって逆止弁が適正に作動しないと、単に往復動体が往復動するだけで、流体の吸入と吐出とを行うことができないといった問題があった。
【０００８】
そこで、本発明は、斯かる実情に鑑み、往復動ポンプの吸入ポート側の逆止弁に流体的に接続される一次側配管系での流体圧が、往復動ポンプの吐出ポート側の流体圧よりも大きな場合であっても、逆止弁の開閉を適正に行うことができ、往復動ポンプによる流体の吸入と吐出とを適正に行うことができる往復動ポンプユニット、及び往復動ポンプ接続用配管構造体を提供することを課題とする。
【課題を解決するための手段】
【０００９】
本発明に係る往復動ポンプユニットは、往復動体が内装されたポンプヘッドの吸入ポート及び吐出ポートのそれぞれに逆止弁が流体的に接続された往復動ポンプを備え、流体を圧送する一次側配管系から分岐した分岐配管に流体的に接続される往復動ポンプユニットであって、一次側配管系と吸入ポート側の逆止弁とを流体的に接続する接続用配管系を備え、該接続用配管系は、流体を流出入可能に構成されたバッファタンクと、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに連続的に切り換えるように構成された流路切換手段とを備えたことを特徴とする。
【００１０】
上記構成の往復動ポンプユニットによれば、流体圧の高い一次側配管系に接続される接続用配管系が、流体を流出入可能に構成されたバッファタンクと、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに切換可能に構成された流路切換手段とを備えているので、往復動ポンプ（逆止弁）が一次側配管系の圧力影響を受けることがなく、逆止弁で流路の開閉を円滑に行わせることができ、流体の吸入と吐出とを円滑に行うことができる。
【００１１】
具体的には、流路切換手段が、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに切換可能に構成されるので、第一状態及び第二状態の何れにおいても往復動ポンプ（逆止弁及びポンプヘッド）は、一次側配管系と縁切り（流体的に遮断）された状態となり、一次側配管系の流体圧の影響を受けない状態となる。
【００１２】
そして、流路切換手段が第一状態にあるときに、一次側配管系からバッファタンクに流体が流入し、その状態から流路切換手段が第二状態に切り換わると、バッファタンク内の流体を往復動ポンプに供給できる状態となる。従って、往復動ポンプを駆動するに際し、一次側の流体圧の影響を受けていない各逆止弁は、往復動体の往復動（駆動）に連動して適正に開閉することになり、第二状態において、バッファタンク内の流体を吸入して二次側の吐出ポートから吐出させることができる。そして、流路切換手段が第一状態と第二状態とに連続的に切り換わることで、一次側配管系の流体圧の影響を受けない状態で、バッファタンクに対する流体の補充とバッファタンクから往復動ポンプへの流体を供給とを連続的に行うことができ、該流体を二次側に円滑に吐出させることができる。
【００１３】
また、本発明に係る往復動ポンプユニットの一態様として、前記往復動ポンプを二つ備えて無脈動ポンプとして構成され、前記接続用配管系は、二系統設けられると共に、各接続用配管系が各往復動ポンプの吸入ポート側の流路を合流させた共通ポート介して各往復動ポンプの吸入ポート側の逆止弁に流体的に接続され、何れか一方の接続用配管系における流路切換手段が第一状態にあるときに、他方の接続用配管系における流路切換手段が第二状態となるよう、各接続配管系の流路切換手段の状態を交互に切り換えるように構成されてもよい。かかる構成によれば、各往復動ポンプの吸入ポートを合流させた共通ポートに二系統の接続用配管系が接続されているので、各接続用配管系の流路切換手段の状態を交互に切り換えるようにしても、何れか一方の接続用配管系におけるバッファタンクが往復動ポンプに対して流体的に接続された状態となる。これにより、二つの往復動ポンプの作動状態に対応して各接続用配管系の流路切換手段の状態を切り換える制御を行わなくても、各往復動ポンプに対してバッファタンク内の流体を吸入させて吐出させることができる。
【００１４】
さらに、本発明に係る往復動ポンプユニットの他態様として、前記往復動ポンプを二つ備えて無脈動ポンプとして構成され、前記接続用配管系は、一系統設けられると共に、各往復動ポンプの吸入ポート側の流路を合流させた共通ポートを介して各往復動ポンプの吸入ポート側の逆止弁に流体的に接続され、流路切換手段と共通ポートとの間に流体を流出入可能に構成された補助タンクを更に備えてもよい。
【００１５】
かかる構成によれば、第一状態及び第二状態の何れにおいても一次側配管系の流体圧の影響を受けることがなく、且つ補助タンクと往復動ポンプとが常に連通状態となる位置（流路切換手段の二次（下流）側）に補助タンクが設けられることになる。これにより、往復動ポンプは、一次側配管系からの流体圧の影響を受けることなく適正に作動し、補助タンク内の流体を吸入して吐出させることができる。
【００１６】
具体的には、流路切換手段が第一状態となっている状態で、バッファタンク内に一次側配管系からの流体が流入（補充）され、流路切換手段が第二状態に切り換わると、一次側配管系での流体圧の影響を受けない状態で、バッファタンク内の流体が補助タンクに補充されると共に何れか一方の往復動ポンプに供給されることになる。そして、流路切換手段が第二状態であるときに作動する往復動ポンプは、バッファタンク及び補助タンクの少なくとも何れか一方からの流体を吸入して二次側に吐出することになる。その一方で、流路切換手段が第二状態から第一状態に切り換わると、バッファタンクが、補助タンク及び往復動ポンプとの連通が遮断された状態になるので、この状態で作動する何れか一方（他方）の往復動ポンプは、第二状態で補充された補助タンクの流体を吸入して吐出することになる。
【００１７】
従って、流路切換手段を第一状態と第二状態とに交互に切り換えることで、二つの往復動ポンプ（無脈動ポンプ）に対して一次側配管系の流体圧の影響を与えない状態で流体を連続的に供給することができる。これにより、二つの往復動ポンプ（無脈動ポンプ）を適正に作動させることができ、流体を二次側に向けて無脈動で且つ連続的に吐出させることができる。なお、この場合、補助タンクは、何れか一方の往復動ポンプに供給する液体を貯留するものであるので、少なくとも一つの往復動ポンプの作動サイクル（往復動体の往復動）における一サイクル当たりの吸入量（吐出量）の流体を貯留できるように構成し、バッファタンクは、他方の往復動ポンプ及び補助タンクに供給する液体を貯留するものであるので、一つの往復動ポンプの一サイクル当たりの吸入量（吐出量）と補助タンクに補充する量の合計量以上の液体を貯留できるように構成することが好ましい。
【００１８】
本発明に係る往復動ポンプユニットの別の態様として、前記往復動ポンプを二つ備えて無脈動ポンプとして構成され、前記接続用配管系が往復動ポンプに対応して二系統設けられると共に、各接続用配管系が各往復動ポンプの吸入ポート側の逆止弁のそれぞれに流体的に接続され、何れか一方の接続用配管系における流路切換手段が第一状態にあるときに、対応する往復動ポンプによる吸入及び吐出のタイミングに対応して他方の接続用配管系における流路切換手段が第二状態となるよう、各接続配管系の流路切換手段の状態を交互に切り換えるように構成されてもよい。
【００１９】
往復動ポンプを二つ備えた無脈動ポンプは、各往復動ポンプの流体の吸入と吐出のサイクルが逆位相となるように構成されるが、上述の如く、接続用配管系が各往復動ポンプに対応して二系統設けられ、何れか一方の流路切換手段が、第一状態にあるときに、対応する往復動ポンプによる吸入及び吐出のタイミングに対応して他方の流路切換手段が第二状態となるように構成されれば、流体を吸入して吐出する際に各逆止弁が一次側配管系の流体圧の影響を受けることがなく、各往復動ポンプの流体の吸入と吐出とを適正に行うことができる。
【００２０】
そして、前記流路切換手段は、バッファタンクの一次側及び二次側のそれぞれに設けられた一対の二方弁で構成され、何れか一方の二方弁が開放状態であるときに他方の二方弁が閉鎖状態になるように構成されてもよい。このようにすれば、各二方弁を独立して開閉させることができるので、第一状態と第二状態とに切り換えるに際しても、往復動ポンプ（逆止弁）が一次側配管系の流体圧の影響を受ける状態になるのを確実の防止することができる。
【００２１】
また、前記流路切換手段は、三方弁で構成され、該三方弁の三つのポートのうち、二つのポートのいずれにも連通可能な主ポートにバッファタンクが接続されてもよい。このように流路切換手段に三方弁を採用すると、接続用配管系の小型化を図ることができる上に、複雑な制御を行うことなく、第一状態と第二状態との切り換えを確実に連動させることができる。
【００２２】
そして、前記バッファタンクは、タンク本体と、蓋部材と、タンク本体及び蓋部材に外周縁部が挟まれて取り付けられる弾性変形自在なダイヤフラムとを備え、タンク本体は、往復動ポンプに供給するための流体を流出入させる開口が形成された剛性を有する内周壁面を備え、該内周壁面とダイヤフラムとによって流体を貯留する貯留空間が形成され、ダイヤフラムが該貯留空間を画定する面とは反対側の面側と対向する蓋部材の部位に、外部に連通した空気穴が形成され、貯留空間内に流体が入った状態でダイヤフラムが非弾性変形状態となるように構成されていることが好ましい。このようにすれば、流路切換手段が第二状態であるときに往復動ポンプが作動すると、バッファタンクの貯留空間内の流体が吸い出されることになり、これに伴って、貯留空間を画するダイヤフラムも流体に追従するように弾性変形することになる。
【００２３】
そして、流路切換手段が第二状態から第一状態に切り換わると、一次側配管系から流体が貯留空間内に流れ込むことになる。この際、第二状態で弾性変形したダイヤフラムは、非弾性変形状態に復元しようとするため、仮に一次側配管系の流体圧が貯留空間内に流入するのに十分でない場合であっても、ダイヤフラムの復元に伴う貯留空間の容積変化によって流体が貯留空間に強制的に吸い込まれることになり、バッファタンクに流体を確実に流入させることができる。従って、流路切換手段が第二状態に切り換わって往復動ポンプが作動するに際し、バッファタンク内の流体が不足して円滑な吐出が阻害される等といった事態になるのを確実に防止することができる。
【００２４】
本発明に係る往復動ポンプ接続用配管構造体は、往復動体が内装されたポンプヘッドの吸入ポート及び吐出ポートのそれぞれに逆止弁が流体的に接続され、吸入ポート側の逆止弁に一次側配管系を流体的に接続可能に構成された往復動ポンプに対し、一次側配管系から分岐した分岐配管に流体的に接続させるための往復動ポンプ接続用配管構造体であって、一次側配管系と吸入ポート側の逆止弁とを流体的に接続する接続用配管系を備え、該接続用配管系は、流体を流出入可能に構成されたバッファタンクと、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに連続的に切り換えるように構成された流路切換手段とを備えたことを特徴とする。
【００２５】
上記構成の往復動ポンプ接続用配管構造体によれば、流体を流出入可能に構成されたバッファタンクと、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに切換可能に構成された流路切換手段とを備えているので、往復動ポンプ（逆止弁）が一次側配管系の圧力影響を受けることがなく、逆止弁で流路の開閉を円滑に行わせることができ、流体の吸入と吐出とを円滑に行うことができる。
【００２６】
具体的には、流路切換手段が、バッファタンクと一次側配管系とを連通させる一方でバッファタンクと吸入ポート側の逆止弁との連通を遮断する第一状態と、バッファタンクと一次側配管系との連通を遮断する一方でバッファタンクと吸入ポート側の逆止弁とを連通させる第二状態とに切換可能に構成されるので、第一状態及び第二状態の何れにおいても往復動ポンプ（逆止弁及びポンプヘッド）は、一次側配管系と縁切り（流体的に遮断）された状態となり、一次側配管系の流体圧の影響を受けない状態となる。
【００２７】
そして、流路切換手段が第一状態にあるときに、一次側配管系からバッファタンクに流体が流入し、その状態から流路切換手段が第二状態に切り換わると、バッファタンク内の流体を往復動ポンプに供給できる状態となる。従って、往復動ポンプを駆動するに際し、一次側の流体圧の影響を受けていない各逆止弁は、往復動体の往復動（駆動）に連動して適正に開閉することになり、第二状態において、バッファタンク内の流体を吸入して二次側の吐出ポートから吐出させることができる。そして、流路切換手段を第一状態と第二状態とに連続的に切り換えることで、一次側配管系の流体圧の影響を受けない状態で、バッファタンクに対する流体の補充とバッファタンクから往復動ポンプへの流体を供給とを連続的に行うことができ、該流体を二次側に円滑に吐出させることができる。
【００２８】
また、本発明に係る往復動ポンプ接続用配管構造の一態様として、前記往復動ポンプを二つ備えた無脈動ポンプを接続対象とし、各往復動ポンプの吸入ポート側の流路を合流させて形成された共通ポートを介して各往復動ポンプの吸入ポート側の逆止弁に一次側配管系を流体的に接続するための往復動ポンプ接続用配管構造体であって、前記接続用配管系は、前記共通ポートに接続可能に二系統設けられ、何れか一方の接続用配管系における流路切換手段が第一状態にあるときに、他方の接続用配管系における流路切換手段が第二状態となるよう、各接続配管系の流路切換手段の状態を交互に切り換えるように構成されてもよい。
【００２９】
かかる構成によれば、各往復動ポンプの吸入ポート側を合流させた共通ポートに二系統の接続用配管系が接続させるように構成されているので、接続用配管系を介して往復動ポンプと一次側配管系とを流体的に接続した状態で、各接続用配管系の流路切換手段の状態を交互に切り換えるようにしても、何れか一方の接続用配管系におけるバッファタンクが往復動ポンプに対して流体的に接続された状態となる。これにより、二つの往復動ポンプの作動状態に対応して各接続用配管系の流路切換手段の状態を切り換える制御を行わなくても、各往復動ポンプに対してバッファタンク内の流体を吸入させて吐出させることができる。
【００３０】
さらに、本発明に係る往復動ポンプ接続用配管構造の他態様として、前記往復動ポンプを二つ備えた無脈動ポンプを接続対象とし、各往復動ポンプの吸入ポート側の流路を合流させて形成された共通ポートを介して各往復動ポンプの吸入ポート側の逆止弁に一次側配管系を流体的に接続するための往復動ポンプ接続用配管構造体であって、前記接続用配管系は、前記共通ポートに接続可能に一系統設けられ、流路切換手段と共通ポートとの間に流体を流出入可能に構成された補助タンクを更に備えてもよい。
【００３１】
かかる構成によれば、接続用配管系を介して往復動ポンプと一次側配管系とを流体的に接続した状態において、第一状態及び第二状態の何れにおいても一次側配管系の流体圧の影響を受けることがなく、且つ補助タンクと往復動ポンプとが常に連通状態となる位置（流路切換手段の二次（下流）側）に補助タンクが設けられることになる。これにより、往復動ポンプは、一次側配管系からの流体圧の影響を受けることなく適正に作動し、補助タンク内の流体を吸入して吐出させることができる。
【００３２】
具体的には、流路切換手段が第一状態となっている状態で、バッファタンク内に一次側配管系からの流体が流入（補充）され、流路切換手段が第二状態に切り換わると、一次側配管系での流体圧の影響を受けない状態で、バッファタンク内の流体が補助タンクに補充されると共に何れか一方の往復動ポンプに供給されることになる。そして、流路切換手段が第二状態であるときに作動する往復動ポンプは、バッファタンク及び補助タンクの少なくとも何れか一方からの流体を吸入して二次側に吐出することになる。その一方で、流路切換手段が第二状態から第一状態に切り換わると、バッファタンクが、補助タンク及び往復動ポンプとの連通が遮断された状態になるので、この状態で作動する何れか一方（他方）の往復動ポンプは、第二状態で補充された補助タンクの流体を吸入して吐出することになる。
【００３３】
従って、流路切換手段を第一状態と第二状態とに交互に切り換えることで、二つの往復動ポンプ（無脈動ポンプ）に対して一次側配管系の流体圧の影響を与えない状態で流体を連続的に供給することができる。これにより、二つの往復動ポンプ（無脈動ポンプ）を適正に作動させることができ、流体を二次側に向けて無脈動で且つ連続的に吐出させることができる。なお、この場合、補助タンクは、何れか一方の往復動ポンプに供給する液体を貯留するものであるので、少なくとも一つの往復動ポンプの作動サイクル（往復動体の往復動）における一サイクル当たりの吸入量（吐出量）の流体を貯留できるように構成し、バッファタンクは、他方の往復動ポンプ及び補助タンクに供給する液体を貯留するものであるので、一つの往復動ポンプの一サイクル当たりの吸入量（吐出量）と補助タンクに補充する量の合計量以上の液体を貯留できるように構成することが好ましい。
【００３４】
本発明に係る往復動ポンプ接続用配管構造の別の態様として、前記往復動ポンプを二つ備えた無脈動ポンプを接続対象とした往復動ポンプ接続用配管構造体であって、前記接続用配管系が往復動ポンプに対応して二系統設けられると共に各接続用配管系が各往復動ポンプの吸入ポート側の逆止弁のそれぞれに流体的に接続可能に構成され、何れか一方の接続用配管系における流路切換手段が第一状態にあるときに、対応する往復動ポンプによる吸入及び吐出のタイミングに対応して他方の接続用配管系における流路切換手段が第二状態となるよう、各接続配管系の流路切換手段の状態を交互に切り換えるように構成されてもよい。
【００３５】
往復動ポンプを二つ備えた無脈動ポンプは、各往復動ポンプの流体の吸入と吐出のサイクルが逆位相となるように構成されるが、上述の如く、接続用配管系が各往復動ポンプに対応して二系統設けられ、何れか一方の流路切換手段が、第一状態にあるときに、対応する往復動ポンプによる吸入及び吐出のタイミングに対応して他方の流路切換手段が第二状態となるように構成されれば、流体を吸入して吐出する際に各逆止弁が一次側配管系の流体圧の影響を受けることがなく、各往復動ポンプの流体の吸入と吐出とを適正に行うことができる。
【００３６】
そして、前記流路切換手段は、バッファタンクの一次側及び二次側のそれぞれに設けられた一対の二方弁で構成され、何れか一方の二方弁が開放状態であるときに他方の二方弁が閉鎖状態になるように構成されてもよい。このようにすれば、各二方弁を独立して開閉させることができるので、第一状態と第二状態とに切り換えるに際しても、往復動ポンプ（逆止弁）が一次側配管系の流体圧の影響を受ける状態になるのを確実の防止することができる。
【００３７】
また、前記流路切換手段は、三方弁で構成され、該三方弁の三つのポートのうち、二つのポートのいずれにも連通可能な主ポートにバッファタンクが接続されてもよい。このように流路切換手段に三方弁を採用すると、接続用配管系の小型化を図ることができる上に、複雑な制御を行うことなく、第一状態と第二状態との切り換えを確実に連動させることができる。
【００３８】
そして、前記バッファタンクは、タンク本体と、蓋部材と、タンク本体及び蓋部材に外周縁部が挟まれて取り付けられる弾性変形自在なダイヤフラムとを備え、タンク本体は、往復動ポンプに供給するための流体を流出入させる開口が形成された剛性を有する内周壁面を備え、該内周壁面とダイヤフラムとによって流体を貯留する貯留空間が形成され、ダイヤフラムが該貯留空間を画定する面とは反対側の面側と対向する蓋部材の部位に、外部に連通した空気穴が形成され、貯留空間内に流体が入った状態でダイヤフラムが非弾性変形状態となるように構成されていることが好ましい。このようにすれば、流路切換手段が第二状態であるときに往復動ポンプが作動すると、バッファタンクの貯留空間内の流体が吸い出されることになり、これに伴って、貯留空間を画するダイヤフラムも流体に追従するように弾性変形することになる。
【００３９】
そして、流路切換手段が第二状態から第一状態に切り換わると、一次側配管系から流体が貯留空間内に流れ込むことになる。この際、第二状態で弾性変形したダイヤフラムは、非弾性変形状態に復元しようとするため、仮に一次側配管系の流体圧が貯留空間内に流入するのに十分でない場合であっても、ダイヤフラムの復元に伴う貯留空間の容積変化によって流体が貯留空間に強制的に吸い込まれることになり、バッファタンクに流体を確実に流入させることができる。従って、流路切換手段が第二状態に切り換わって往復動ポンプが作動するに際し、バッファタンク内の流体が不足して円滑な吐出が阻害される等といった事態になるのを確実に防止することができる。
【発明の効果】
【００４０】
本発明に係る往復動ポンプユニットは、往復動ポンプの吸入ポート側の逆止弁に流体的に接続される一次側配管系での流体圧が、往復動ポンプの吐出ポート側の流体圧よりも大きな場合であっても、逆止弁の開閉を適正に行うことができ、往復動ポンプによる流体の吸入と吐出とを適正に行うことができるという優れた効果を奏し得る。
【００４１】
また、本発明に係る往復動ポンプ接続用配管構造体によれば、往復動ポンプの吸入ポート側の逆止弁に流体的に接続される一次側配管系での流体圧が、往復動ポンプの吐出ポート側の流体圧よりも大きな場合であっても、逆止弁の開閉を適正に行うことができ、往復動ポンプによる流体の吸入と吐出とを適正に行うことができるという優れた効果を奏し得る。
【発明を実施するための最良の形態】
【００４２】
以下、本発明の第一実施形態に係る往復動ポンプユニットを添付図面を参照して説明する。
【００４３】
本実施形態に係る往復動ポンプユニットは、図１に示す如く、流体Ｗを循環させる循環ライン１００から分岐した分岐配管１０１に接続されている。往復動ポンプユニット１の説明に先立ち循環ライン１００について概略説明すると、該循環ライン１００は、流体Ｗを貯留する貯留タンク１０２と、該貯留タンク１０２内の流体Ｗを一旦吸引した後に、再度貯留タンク１０２に戻す一次側配管系１０３とで構成されている。
【００４４】
本実施形態においては、貯留タンク１０２は、上部が開放した開放型のタンクであり、流体（本実施形態においては粘性の高いスラリー）Ｗが貯留されている。前記一次側配管系１０３は、貯留タンク１０２の底に接続された第一配管１０３ａと、該第一配管１０３ａに接続されたポンプ（本実施形態においては圧送ポンプ）１０３ｂと、該圧送ポンプ１０３ｂに接続されるとともに、貯留タンク１０２の上部開放部に流体Ｗを放出可能に配設された第二配管１０３ｃとで構成されており、前記圧送ポンプ１０３ｂを作動させることで、貯留タンク１０２内の流体Ｗを循環させるようになっている。
【００４５】
そして、該一次側配管系１０３は、圧送ポンプ１０３ｂの作動によって大きな流体圧（正（＋）圧）が生じる第二配管１０３ｃの途中に、本実施形態に係る往復動ポンプユニット１を接続するための分岐配管１０１が設けられており、循環ライン１００で循環される流体Ｗの一部を、分岐配管１０１を介して往復動ポンプユニット１に供給できるように構成されている。
【００４６】
前記往復動ポンプユニット１は、往復動ポンプ２ａ，２ｂと、該往復動ポンプ２ａ，２ｂと一次側配管系１０３（分岐配管１０１）とを接続するための接続用配管構造体（往復動ポンプ接続用配管構造体）３とを備えている。本実施形態に係る往復動ポンプユニット１は、一次側（一次側配管系１０３）の流体圧よりも低い流体圧で流体Ｗを吐出させるようになっている。換言すれば、該往復動ポンプユニット１は、往復動ポンプ２ａ，２ｂ（後述する吐出ポート）の二次（下流）側よりも流体圧の高い一次側配管系１０３が一次（上流）側に接続されている。
【００４７】
往復動ポンプ２ａ，２ｂは、図２乃至図４に示す如く、ポンプヘッド２０ａ，２０ｂと、該ポンプヘッド２０ａ，２０ｂの一次側の吸入ポート２１ａ，２１ｂ、及び二次側の吐出ポート２２ａ，２２ｂのそれぞれに流体的に接続され、一次側から二次側に向けての流体Ｗの流通を許容する逆止弁２３ａ，２３ｂ，２４ａ，２４ｂと、当該往復動ポンプ２ａ，２ｂ（ポンプヘッド２０ａ，２０ｂの後述するダイヤフラム２７ａ，２７ｂ）を駆動するポンプ駆動手段２５とを備えている。なお、以下の説明において、吸入ポート２１ａ，２１ｂに接続された逆止弁２３ａ，２３ｂ（吸入ポート２１ａ，２１ｂ側の逆止弁２３ａ，２３ｂ）を一次側逆止弁といい、吐出ポート２２ａ，２２ｂに接続された逆止弁２４ａ，２４ｂを二次側逆止弁という。また、これらの両方を総称する場合には、単に逆止弁２３ａ，２３ｂ，２４ａ，２４ｂという。
【００４８】
本実施形態に係る往復動ポンプ２ａ，２ｂは、二つ並列に設けられ、各往復動ポンプ２ａ，２ｂにおける流体Ｗの吸入（吹い込み）及び吐出（吐き出し）のサイクルを互いに逆位相にすることで無脈動ポンプＰを構成している。なお、図１においては、二つの往復動ポンプ２ａ，２ｂを一つ無脈動ポンプとして符号Ｐを付して示している。
【００４９】
各往復動ポンプ２ａ，２ｂは、ダイヤフラム式の定容積ポンプであり、前記ポンプヘッド２０ａ，２０ｂは、ケーシング２６ａ，２６ｂと、該ケーシング２６ａ，２６ｂ内に配設され、ケーシング２６ａ，２６ｂ内に形成される空間（以下、作動空間という）Ｓａ，Ｓｂを該ケーシング２６ａ，２６ｂ（後述する凹部２６２ａ，２６２ｂ）と共に画定するダイヤフラム２７ａ，２７ｂと、該ダイヤフラム２７ａ，２７ｂにポンプ駆動手段２５の駆動を伝達する駆動伝達手段２８ａ，２８ｂとで構成されている。
【００５０】
前記ケーシング２６ａ，２６ｂは、ケース本体２６０ａ，２６０ｂと、該ケース本体２６０ａ，２６０ｂにダイヤフラム２７ａ，２７ｂを取り付けるための取付部材２６１ａ，２６１ｂとで構成されている。
【００５１】
前記ケース本体２６０ａ，２６０ｂは、ブロック状に形成されており、一方の面に奥部側ほど小径となった略円錐台状の凹部２６２ａ，２６２ｂが形成されている。そして、該凹部２６２ａ，２６２ｂの内周壁面には、該凹部２６２ａ，２６２ｂ内と一次側配管系１０３とを連通させる穴からなる前記吸入ポート２１ａ，２１ｂと、凹部２６２ａ，２６２ｂと二次側の一次側配管系１０３とを連通させる穴からなる前記吐出ポート２２ａ，２２ｂとが形成されている。
【００５２】
また、該ケース本体２６０ａ，２６０ｂには、各逆止弁２３ａ，２３ｂ，２４ａ，２４ｂを内装するための逆止弁内装穴２６３ａ，２６３ｂ，２６４ａ，２６４ｂが吸入ポート２１ａ，２１ｂ、及び吐出ポート２２ａ，２２ｂのそれぞれに連通して形成されている。即ち、逆止弁内装穴２６３ａ，２６３ｂ，２６４ａ，２６４ｂは、内装した逆止弁２３ａ，２３ｂ，２４ａ，２４ｂが吸入ポート２１ａ，２１ｂ及び吐出ポート２２ａ，２２ｂのそれぞれと連続した流路を形成できるようにケース本体２６０ａ，２６０ｂ内に形成されている。
【００５３】
なお、詳細については後述するが、本実施形態に係る逆止弁２３ａ，２３ｂ，２４ａ，２４ｂは、後述する弁体２７２ａ，２７２ｂ，２７３ａ，２７３ｂが開放状態にある流路を自重の作用によって閉塞するようになっており、その弁体２７２ａ，２７２ｂ，２７３ａ，２７３ｂの自重を下方に向けて確実に作用させるべく、逆止弁内装穴２６３ａ，２６３ｂ，２６４ａ，２６４ｂは、弁体２７２ａ，２７２ｂ，２７３ａ，２７３ｂが上下方向に移動する姿勢で逆止弁２３ａ，２３ｂ，２４ａ，２４ｂを内装できるように形成されている。
【００５４】
さらに、該ケース本体２６０ａ，２６０ｂには、接続用配管構造体３の後述する接続用配管系３０ａ，３０ｂ（図１参照）を流体的に接続可能に構成された一次側の接続ポート２６５ａ，２６５ｂが一次側逆止弁２３ａ，２３ｂ（逆止弁内装穴２６３ａ，２６３ｂ）と連通するように形成されると共に、二次側の配管５０を流体的に接続可能に構成された二次側の接続ポート２６６ａ，２６６ｂが二次側逆止弁２４ａ，２４ｂ（逆止弁内装穴２６４ａ，２６４ｂ）と連通するように形成されている。
【００５５】
本実施形態においては、二つの往復動ポンプ２ａ，２ｂを一体的にした無脈動ポンプＰとすべく、上記構成を有する二つケース本体２６０ａ，２６０ｂが並列（横並び）した態様で一体的に形成されている。即ち、二つの往復動ポンプ２ａ，２ｂのケース本体２６０ａ，２６０ｂが一つのブロック状に形成されている。これに伴い、各往復動ポンプ２ａ，２ｂの一次側逆止弁２３ａ，２３ｂに一系統の流路で流体Ｗを流入させるべく、本実施形態に係るケース本体２６０ａ，２６０ｂには、ケース本体２６０ａ，２６０ｂ内に二つの往復動ポンプ２ａ，２ｂの吸入ポート２１ａ，２１ｂ側の流路（一次側逆止弁２３ａ，２３ｂに連通した上流側の流路）が一カ所で合流するように形成され、その合流部分から各往復動ポンプ２ａ，２ｂに流体Ｗを供給できるように、当該部分に両方の往復動ポンプ２ａ，２ｂに対する共通の接続ポート２６５ａ，２６５ｂ（共通ポート）が形成されている（以下、二つの往復動ポンプ２ａ，２ｂに対する共通の一次側の接続ポート２６５ａ，２６５ｂを一次側共通ポート２６５という）。
【００５６】
また、本実施形態においては、二つの往復動ポンプ２ａ，２ｂから吐出される流体Ｗを一系統の流路で二次側に流出させるべく、一次側と同様に、ケース本体２６０ａ，２６０ｂ内に二つの往復動ポンプ２ａ，２ｂの吐出ポート２２ａ，２２ｂ側の流路（二次側逆止弁２４ａ，２４ｂに連通した下流側の流路）が一カ所で合流するように形成され、その合流部分に両方の往復動ポンプ２ａ，２ｂに対して共通の二次側の配管５０（一系統の配管系）を接続するための共通の接続ポート２６６ａ，２６６ｂが形成されている（以下、二つの往復動ポンプ２ａ，２ｂの共通した二次側の接続ポート２６６ａ，２６６ｂを二次側共通ポート２６６という）。
【００５７】
取付部材２６１ａ，２６１ｂは、ケース本体２６０ａ，２６０ｂの凹部２６２ａ，２６２ｂの開口部に嵌入可能に構成された筒状の嵌入部２６７ａ，２６７ｂと、該嵌入部２６７ａ，２６７ｂが連設されると共にケース本体２６０ａ，２６０ｂに連結可能に形成されたブロック状の部材本体２６８ａ，２６８ｂとで構成されており、該部材本体２６８ａ，２６８ｂには、後述するシャフト体２８０ａ，２８０ｂを挿通させる貫通穴２６９ａ，２６９ｂが、各嵌入部２６７ａ，２６７ｂの内穴と略同心で穿設されている。本実施形態においては、ケース本体２６０ａ，２６０ｂと同様、二つの取付部材２６１ａ，２６１ｂが並列（横並び）した態様で一体的に形成されている。これにより、二つの往復動ポンプ２ａ，２ｂの各ケーシング２６ａ，２６ｂが一つの無脈動ポンプＰの一つのケースとして構成されるようになっている。
【００５８】
該取付部材２６１ａ，２６１ｂは、嵌入部２６７ａ，２６７ｂをケース本体２６０ａ，２６０ｂの凹部２６２ａ，２６２ｂに嵌入した状態で、前記凹部２６２ａ，２６２ｂの開口部に配設されたダイヤフラム２７ａ，２７ｂの外周縁部を、ケース本体２６０ａ，２６０ｂと挟み込んだ状態にして該ダイヤフラム２７ａ，２７ｂを固定できるように構成されている。
【００５９】
前記ダイヤフラム２７ａ，２７ｂは、テフロン（Ｒ）樹脂等を略円板状に成形したもので、何れの面側にも中央部が膨出した態様で弾性変形可能に形成されている。本実施形態に係るダイヤフラム２７ａ，２７ｂは、中心から外周縁に向けて断面が波状をなすように、平面視において両面に円環状の凸部及び凹部が複数条交互に形成されており、これによって、何れの面側にも膨出した態様に変形しやすいようになっている。該ダイヤフラム２７ａ，２７ｂは、外周縁部が全周に亘ってケース本体２６０ａ，２６０ｂの凹部２６２ａ，２６２ｂにおける開口縁部に形成された環状面と取付部材２６１ａ，２６１ｂの嵌入部２６７ａ，２６７ｂの先端面とに挟まれて取り付けられている。
【００６０】
これにより、該ダイヤフラム２７ａ，２７ｂは、中央部が面直交方向の何れにおいても膨出した態様で弾性変形可能な状態で、凹部２６２ａ，２６２ｂの内周壁面と共に流体Ｗを流出入させる作動空間Ｓａ，Ｓｂを画定している。ダイヤフラム２７ａ，２７ｂは、作動空間Ｓａ，Ｓｂを画する一方の面に対して反対側の他方の面に、駆動伝達手段２８ａ，２８ｂの後述するシャフト体２８０ａ，２８０ｂが、該ダイヤフラム２７ａ，２７ｂと略同心となるように延設されている。
【００６１】
前記逆止弁２３ａ，２３ｂ，２４ａ，２４ｂは、ハウジング２７０ａ，２７０ｂ，２７１ａ，２７１ｂと、該ハウジング２７０ａ，２７０ｂ，２７１ａ，２７１ｂ内に移動可能に内装された弁体２７２ａ，２７２ｂ，２７３ａ，２７３ｂとで構成されている。前記ハウジング２７０ａ，２７０ｂ，２７１ａ，２７１ｂは、ケース本体２６０ａ，２６０ｂの逆止弁内装穴２６３ａ，２６３ｂ，２６４ａ，２６４ｂに内装可能に形成され、各逆止弁内装穴２６３ａ，２６３ｂ，２６４ａ，２６４ｂに内装した状態で吸入ポート２１ａ，２１ｂ及び吸入ポート２１ａ，２１ｂと連通し、前記弁体２７２ａ，２７２ｂ，２７３ａ，２７３ｂが移動可能に内装される弁体内装穴２７４ａ，２７４ｂ，２７５ａ，２７５ｂが形成されている。
【００６２】
前記弁体内装穴２７４ａ，２７４ｂ，２７５ａ，２７５ｂは、上下方向に延びるように形成されている。吸入ポート２１ａ，２１ｂに連通する弁体内装穴２７４ａ，２７４ｂ内には、弁体２７２ａ，２７２ｂが着座することで、一次側（一次側配管系１０３）と吸入ポート２１ａ，２１ｂ（作動空間Ｓａ，Ｓｂ）との連通が遮断される弁座２７６ａ，２７６ｂが形成されている。その一方で、吐出ポート２２ａ，２２ｂに連通する弁体内装穴２７５ａ，２７５ｂには、弁体２７３ａ，２７３ｂが着座することで、二次側（二次側の配管５０（図１参照））と吐出ポート２２ａ，２２ｂ（作動空間Ｓａ，Ｓｂ）との連通を遮断する弁座２７７ａ，２７７ｂが形成されている。なお、本実施形態に係る逆止弁２３ａ，２３ｂ，２４ａ，２４ｂ（ハウジング２７０ａ，２７０ｂ，２７１ａ，２７１ｂ）のそれぞれは、弁座２７６ａ，２７６ｂ，２７７ａ，２７７ｂの形成された二つの弁体内装穴２７４ａ，２７４ｂ，２７５ａ，２７５ｂが直列に形成されており、各弁体内装穴２７４ａ，２７４ｂ，２７５ａ，２７５ｂに球状の弁体２７２ａ，２７２ｂ，２７３ａ，２７３ｂが内装されている。
【００６３】
前記駆動伝達手段２８ａ，２８ｂは、ダイヤフラム２７ａ，２７ｂの他方の面に延設されたシャフト体２８０ａ，２８０ｂと、該シャフト体２８０ａ，２８０ｂの先端部に取り付けられ、後述する偏心カム２５２ａ，２５２ｂに案内される案内体２８１ａ，２８１ｂと、前記部材本体２６８ａ，２６８ｂに連結され、シャフト体２８０ａ，２８０ｂが軸線方向に案内可能に挿通されるベース体２８２ａ，２８２ｂと、案内体２８１ａ，２８１ｂとベース体２８２ａ，２８２ｂとの間に介装され、シャフト体２８０ａ，２８０ｂを軸線方向に付勢するコイルバネ２８３ａ，２８３ｂとで構成されている。
【００６４】
前記シャフト体２８０ａ，２８０ｂは、上述の如く、ダイヤフラム２７ａ，２７ｂの他方の面に同心で延設されており、前記取付部材２６１ａ，２６１ｂの貫通穴２６９ａ，２６９ｂに略同心で挿通された状態をなし、先端側が取付部材２６１ａ，２６１ｂから更に延出した状態となっている。前記案内体２８１ａ，２８１ｂは、回転する偏心カム２５２ａ，２５２ｂの外周面上を転動するローラ２８４ａ，２８４ｂと、シャフト体２８０ａ，２８０ｂの先端に連結され、前記ローラ２８４ａ，２８４ｂを軸支するフレーム部２８５ａ，２８５ｂとで構成されている。フレーム部２８５ａ，２８５ｂは、シャフト体２８０ａ，２８０ｂの先端部が連結される一端側とは反対側の他端からローラ２８４ａ，２８４ｂの外周の一部が突出するようにピン（図示しない）を介して該ローラ２８４ａ，２８４ｂを軸支するように構成され、他端部にコイルバネ２８３ａ，２８３ｂの一端側を受ける鍔状の第一バネ座部２８６ａ，２８６ｂが形成されている。
【００６５】
本実施形態に係るベース体２８２ａ，２８２ｂは、取付部材２６１ａ，２６１ｂ（部材本体２６８ａ，２６８ｂ）に連結可能に構成されており、取付部材２６１ａ，２６１ｂの貫通穴２６９ａ，２６９ｂと略同心で、該貫通穴２６９ａ，２６９ｂに挿通状態にあるシャフト体２８０ａ，２８０ｂを挿通するシャフト体挿通穴２８７ａ，２８７ｂが形成されている。該シャフト体挿通穴２８７ａ，２８７ｂには、シャフト体２８０ａ，２８０ｂの外周面を案内する筒状のブッシュ２８８ａ，２８８ｂが内装されており、該シャフト体２８０ａ，２８０ｂが軸線方向で移動できるようになっている。
【００６６】
また、案内体２８１ａ，２８１ｂとベース体２８２ａ，２８２ｂとの間でコイルバネ２８３ａ，２８３ｂを定位置に配設すべく、ベース体２８２ａ，２８２ｂには、コイルバネ２８３ａ，２８３ｂに他端側が入り込む環状の凹部からなる第二バネ座部２８９ａ，２８９ｂが形成されている。本実施形態に係るベース体２８２ａ，２８２ｂは、往復動ポンプ２ａ，２ｂ毎に設けられており、一体化した取付部材２６１ａ，２６１ｂにそれぞれ独立して連結されるようになっている。また、該ベース体２８２ａ，２８２ｂは、取付部材２６１ａ，２６１ｂに連結される一端側とは反対の他端側の外周に、ポンプ駆動手段２５の主要構成を内装する筐体３５に形成された雌ネジ穴３５０ａ，３５０ｂに螺合するための雄ネジ部２９０ａ，２９０ｂが形成されており、該筐体３５にも連結できるようになっている。
【００６７】
前記コイルバネ２８３ａ，２８３ｂは、シャフト体２８０ａ，２８０ｂに外嵌した状態で、一端側が第一バネ座部２８６ａ，２８６ｂで受けられると共に他端側が第二バネ座部２８９ａ，２８９ｂに受けられており、自然長の状態でダイヤフラム２７ａ，２７ｂが非変形状態となるように長さ設定されている。
【００６８】
前記ポンプ駆動手段２５は、電動モータ２５０と、該電動モータ２５０の回転数を変換する減速機構２５１と、該減速機構２５１の出力軸２５３ａ，２５３ｂに固定され、前記案内体２８１ａ，２８１ｂを案内する偏心カム２５２ａ，２５２ｂとで構成されている。
【００６９】
前記減速機構２５１は、電動モータ２５０の出力を減速して偏心カム２５２ａ，２５２ｂの所定回転数で回転させるようになっており、該偏心カム２５２ａ，２５２ｂの回転に対応してシャフト体２８０ａ，２８０ｂを所定のサイクルで軸心方向で往復動させることで、ダイヤフラム２７ａ，２７ｂの変形（作動空間Ｓａ，Ｓｂの容積変化）サイクル、即ち、流体Ｗの吸入乃至吐出を所定サイクルで行えるようになっている。そして、本実施形態においては、二つの往復動ポンプ２ａ，２ｂで無脈動ポンプＰを構成しているため、該減速機構２５１は、一つの電動モータ２５０の出力を分配する分配器としても機能するようになっている。即ち、該減速機構２５１は、シャフト体２８０ａ，２８０ｂの軸心と直交方向に延びる出力軸２５３ａ，２５３ｂを二本備えており、出力軸２５３ａ，２５３ｂのそれぞれに偏心カム２５２ａ，２５２ｂが連結されている。そして、各偏心カム２５２ａ，２５２ｂは、各往復動ポンプ２ａ，２ｂにおける吸入乃至吐出のサイクルが逆位相となるように各出力軸２５３ａ，２５３ｂに取り付けられている。これにより、各往復動ポンプ２ａ，２ｂの吸入乃至吐出が交互に行われ、流体Ｗを無脈動で吐出させ得るようになっている。
【００７０】
図１に戻り、前記接続用配管構造体３は、一次側配管系１０３と往復動ポンプ２ａ，２ｂの吸入ポート２１ａ，２１ｂとを接続する接続用配管系３０ａ，３０ｂと、該接続用配管系３０ａ，３０ｂを支持するベース（図示しない）とを備えている。該接続用配管系３０ａ，３０ｂは、流体Ｗを流出入可能に構成されたバッファタンク３００ａ，３００ｂと、バッファタンク３００ａ，３００ｂと一次側配管系１０３とを連通させる一方でバッファタンク３００ａ，３００ｂと一次側逆止弁２３ａ，２３ｂとの連通を遮断する第一状態と、バッファタンク３００ａ，３００ｂと一次側配管系１０３との連通を遮断する一方でバッファタンク３００ａ，３００ｂと一次側逆止弁２３ａ，２３ｂとを連通させる第二状態とに連続的に切り換えるように構成された流路切換手段３０１ａ，３０１ｂとを備えている。
【００７１】
本実施形態に係る往復動ポンプユニット１（接続用配管構造体３）は、バッファタンク３００ａ，３００ｂと流路切換手段３０１ａ，３０１ｂとを備えた接続用配管系３０ａ，３０ｂが二系統並列に設けられている。上述の如く、往復動ポンプ２ａ，２ｂは、ポンプヘッド２０ａ，２０ｂの一次側共通ポート２６５から流体Ｗを供給できるように構成されているため、各接続用配管系３０ａ，３０ｂは、一次側、及び二次側で互いに合流するように形成されており、一次側の合流部分が分岐配管１０１に接続され、二次側の合流部分がケース本体２６０ａ，２６０ｂの一次側共通ポート２６５に接続されている。
【００７２】
前記バッファタンク３００ａ，３００ｂは、図５に示す如く、流体Ｗを貯留する貯留空間Ｔａ，Ｔｂが形成されており、貯留された流体Ｗが往復動ポンプ２ａ，２ｂの作動で吸い出されるに際し、内部が負（−）圧になって流体Ｗの流出が阻害されないように構成されている。具体的に説明すると、本実施形態に係るバッファタンク３００ａ，３００ｂは、奥部側ほど小径になるように円錐台状の凹部３０２ａ，３０２ｂが一方の面に形成されると共に、該凹部３０２ａ，３０２ｂ内と他方の面側とを連通させるように、該凹部３０２ａ，３０２ｂと略同心で貫通した接続ポート３０３ａ，３０３ｂが形成されたタンク本体３０４ａ，３０４ｂと、前記凹部３０２ａ，３０２ｂの開口を閉塞するように配設される円板状のダイヤフラム（以下、タンク用ダイヤフラムという）３０５ａ、３０５ｂと、該タンク用ダイヤフラム３０５ａ，３０５ｂの外周縁部をタンク本体３０４ａ，３０４ｂとの間に挟み込むようにしてタンク本体３０４ａ，３０４ｂに連結される蓋部材３０６ａ，３０６ｂとで構成されている。
【００７３】
前記タンク用ダイヤフラム３０５ａ，３０５ｂは、往復動ポンプ２ａ，２ｂのダイヤフラム２７ａ，２７ｂと同様に、テフロン（Ｒ）樹脂等を略円板状に成形したもので、少なくともタンク本体３０４ａ，３０４ｂの凹部３０２ａ，３０２ｂの内側に中央部が膨出した態様で弾性変形可能に形成されている。本実施形態に係るタンク用ダイヤフラム３０５ａ，３０５ｂは、中心から外周縁に向けて断面が波状をなすように、平面視において両面に円環状の凸部及び凹部が複数条交互に形成されており、これによって、上述の如く、膨出した態様に変形しやすいようになっている。該タンク用ダイヤフラム３０５ａ，３０５ｂは、上述の如く、タンク本体３０４ａ，３０４ｂと蓋部材３０６ａ，３０６ｂとに外周縁部が挟まれて取り付けられており、凹部３０２ａ，３０２ｂの剛性のある内周壁面と共に貯留空間Ｔａ，Ｔｂを画定し、凹部３０２ａ，３０２ｂ内（タンク用ダイヤフラム３０５ａ，３０５ｂと凹部３０２ａ，３０２ｂの内周壁面とで画定された貯留空間Ｔａ，Ｔｂ）において、面直交方向に弾性変形可能に構成されている。
【００７４】
前記蓋部材３０６ａ，３０６ｂは、タンク本体３０４ａ，３０４ｂに連結した状態でタンク用ダイヤフラム３０５ａ，３０５ｂと対向する部位が、常態にあるタンク用ダイヤフラム３０５ａ，３０５ｂ（非弾性変形状態にあるタンク用ダイヤフラム３０５ａ，３０５ｂ）の一方の面（貯留空間Ｔａ，Ｔｂを画定する面とは反対側の面）に沿うように形成されており、流体Ｗが貯留された状態で、タンク用ダイヤフラム３０５ａ，３０５ｂが、凹部３０２ａ，３０２ｂとは反対側に膨出するような変形を起こさないようになっている。
【００７５】
具体的に説明すると、タンク用ダイヤフラム３０５ａ，３０５ｂが凹部３０２ａ，３０２ｂとは反対側に膨出した態様となるように流体Ｗを貯留できるようにすると、流体Ｗを流出させる際、即ち、往復動ポンプ２ａ，２ｂに吸引される際であるにも関わらず、タンク用ダイヤフラム３０５ａ，３０５ｂの復元力が作用して内部の流体Ｗが押し出され、流体Ｗが流出し終わった後に非弾性変形状態となってしまう。そして、貯留空間Ｔａ，Ｔｂ内に流体Ｗを貯留する際に、タンク用ダイヤフラム３０５ａ，３０５ｂを弾性変形させるほどの流体圧を作用させなければならないが、流路切換手段３０１ａ，３０１ｂが第一状態になって一次側配管系１０３と連通状態になっても、一次側配管系１０３からの流体圧がタンク用ダイヤフラム３０５ａ，３０５ｂを弾性変形させることが出来るほどの圧力でない場合に、貯留空間Ｔａ，Ｔｂ内に流体Ｗを充填することができない場合がある。
【００７６】
そこで、本実施形態に係るバッファタンク３００ａ，３００ｂは、流体Ｗが貯留された状態でタンク用ダイヤフラム３０５ａ，３０５ｂが非弾性変形状態（真っ直ぐな状態）となるように構成し、往復動ポンプ２ａ，２ｂの作動で流体Ｗを吸引される際に、吸引による流体Ｗの流出に追従してタンク用ダイヤフラム３０５ａ，３０５ｂが凹部３０２ａ，３０２ｂ側に膨出するように変形することで、貯留空間Ｔａ，Ｔｂ内が負圧になって流体Ｗの流出が阻害されるのを防止して流体Ｗを円滑に二次側（往復動ポンプ２ａ，２ｂ側）に供給できるようになっている。そして、その一方で、接続ポート３０３ａ，３０３ｂから貯留空間Ｔａ，Ｔｂ内に流体Ｗを補充するに際し、一次側からの流体圧が作用していない状態であっても、タンク用ダイヤフラム３０５ａ，３０５ｂの復元（貯留空間Ｔａ，Ｔｂの増大）による負圧の発生で、流体Ｗを貯留空間Ｔａ，Ｔｂ内に強制的に流入させることができるようになっている。
【００７７】
なお、図示していないが、本実施形態に係るバッファタンク３００ａ，３００ｂは、蓋部材３０６ａ，３０６ｂのタンク用ダイヤフラム３０５ａ，３０５ｂと対向する部位に、外部に連通した空気穴が形成されており、タンク用ダイヤフラム３０５ａ，３０５ｂが円滑に変形できるようになっている。即ち、タンク用ダイヤフラム３０５ａ，３０５ｂと蓋部材３０６ａ，３０６ｂとの間が密閉状態になると、タンク用ダイヤフラム３０５ａ，３０５ｂが凹部３０２ａ，３０２ｂ側に変形しようとするに際し、タンク用ダイヤフラム３０５ａ，３０５ｂと蓋部材３０６ａ，３０６ｂとの間が負圧状態になって変形が阻害される虞があるため、上述の空気穴を形成することで、タンク用ダイヤフラム３０５ａ，３０５ｂと蓋部材３０６ａ，３０６ｂとの間での負圧の発生を防止し、タンク用ダイヤフラム３０５ａ，３０５ｂの変形の円滑性を確保するようにしている。
【００７８】
図１に戻り、各接続用配管系３０ａ，３０ｂの流路切換手段３０１ａ，３０１ｂは、バッファタンク３００ａ，３００ｂの一次側及び二次側のそれぞれに設けられた一対の二方弁３０７ａ，３０８ａ、３０７ｂ，３０８ｂで構成されている。該一対の二方弁３０７ａ，３０８ａ、３０７ｂ，３０８ｂは、配管Ｌによって流体的に接続されており、該配管Ｌの途中に前記バッファタンク３００ａ，３００ｂの接続ポート３０３ａ，３０３ｂが流体的に接続されている。本実施形態に係る二方弁３０７ａ，３０８ａ、３０７ｂ，３０８ｂには、電磁駆動のダイヤフラム式のバルブが採用されているが、例えば、ボールバルブ、ゲートバルブ、バタフライバルブ、ニードルバルブ等の種々のバルブ（弁）を採用することができる。但し、流路の開閉の応答性や、流体Ｗの性状、流速等を考慮して最適なタイプのバルブを選定することは言うまでもない。また、各バルブの開閉を行うための駆動源は、電磁式、電動式、圧縮空気式等の種々のものを採用できるが、バルブの開閉の応答性を考慮すれば、電磁式、或いは電動式のものを駆動源として採用することが好ましい。
【００７９】
一対の二方弁３０７ａ，３０８ａ、３０７ｂ，３０８ｂ（駆動源：図示しない。）は、シーケンサ４０に接続されており、該シーケンサ４０の制御により、何れか一方の二方弁３０７ａ，３０８ａ、３０７ｂ，３０８ｂが開放状態であるときに他方の二方弁３０７ａ，３０８ａ、３０７ｂ，３０８ｂが閉鎖状態になるように構成されている。
【００８０】
そして、本実施形態に係る接続用配管系３０ａ，３０ｂは、二系統設けられているので、一方の接続用配管系３０ａ，３０ｂにおける一次側の二方弁３０７ａ，３０７ｂが開放状態にあるとき、他方の接続用配管系３０ａ，３０ｂにおける一次側の二方弁３０７ａ，３０７ｂが閉鎖状態となるようになっている。即ち、一方の接続用配管系３０ａ，３０ｂの一次側の二方弁３０７ａ，３０７ｂが開放状態で二次側の二方弁３０８ａ，３０８ｂが閉鎖状態となった第一状態にあるとき、他方の接続用配管系３０ａ，３０ｂの一次側の二方弁３０７ａ，３０７ｂが閉鎖状態で二次側の二方弁３０８ａ，３０８ｂが開放状態となった第二状態となり、第一状態及び第二状態の何れであっても往復動ポンプ２ａ，２ｂが一次側配管系１０３の流体圧を受けないようになっている。そして、両方の接続用配管系３０ａ，３０ｂを第一状態と第二状態とに交互に切り換えることで、何れか一方の接続用配管系３０ａ，３０ｂのバッファタンク３００ａ，３００ｂと、何れか一方の往復動ポンプ２ａ，２ｂとが連通状態となって、該バッファタンク３００ａ，３００ｂ内の流体Ｗを往復動ポンプ２ａ，２ｂに供給できるようになっている。
【００８１】
本実施形態に係る往復動ポンプユニット１は、以上の構成からなり、次に、該往復動ポンプユニット１の作動について説明する。
【００８２】
該往復動ポンプユニット１は、接続用配管系３０ａ，３０ｂの何れか一方が第一状態となっていると、他方の接続用配管系３０ａ，３０ｂが第二状態になっているので、何れか一方の往復動ポンプ２ａ，２ｂが作動空間Ｓａ，Ｓｂ内に流体Ｗを吸い込むように作動すると、一次側共通ポート２６５を介して第二状態にある他方の接続用配管系３０ａ，３０ｂのバッファタンク３００ａ，３００ｂ内の流体Ｗがポンプヘッド２０ａ，２０ｂに流入する。この際、何れの往復動ポンプ２ａ，２ｂにおいても、一次側配管系１０３（循環ライン１００）の流体圧の影響を受けておらず、作動した往復動ポンプ２ａ，２ｂの逆止弁２３ａ，２３ｂ，２４ａ，２４ｂが正常に作動することになり、流体Ｗの吸入乃至吐出が正常に行われることになる。
【００８３】
即ち、往復動ポンプ２ａ，２ｂが流体Ｗを吸入するに際し、二次側の逆止弁２３ａ，２３ｂ，２４ａ，２４ｂが吐出ポート２２ａ，２２ｂ側の流路を閉鎖して作動空間Ｓａ，Ｓｂ内の気密性を確保し、ダイヤフラム２７ａ，２７ｂの変形（凹部２６２ａ，２６２ｂと離間する方向に膨出した態様の弾性変形）に伴って、バッファタンク３００ａ，３００ｂ内の流体Ｗが作動空間Ｓａ，Ｓｂ内に円滑に吸入される一方、往復動ポンプ２ａ，２ｂが流体Ｗを吐出するに際し、一次側逆止弁２３ａ，２３ｂが吸入ポート２１ａ，２１ｂ側の流路を閉鎖して作動空間Ｓａ，Ｓｂ内の気密性を確保し、ダイヤフラム２７ａ，２７ｂの変形（凹部２６２ａ，２６２ｂ内に膨出した態様の弾性変形）に伴って、作動空間Ｓａ，Ｓｂ内の流体Ｗを吐出ポート２２ａ，２２ｂから円滑に吐出させることになる。
【００８４】
そして、各接続用配管系３０ａ，３０ｂの流路切換手段３０１ａ，３０１ｂが切り換わり、一方の接続用配管系３０ａ，３０ｂが第二状態となると共に他方の接続用配管系３０ａ，３０ｂが第一状態になる。そうすると、一方の接続用配管系３０ａ，３０ｂは、他方の接続用配管系３０ａ，３０ｂが第一状態であるときに、第二状態となっていたため、バッファタンク３００ａ，３００ｂ内には分岐配管１０１からの流体Ｗが充満した状態となっており、他方の往復動ポンプ２ａ，２ｂが作動空間Ｓａ，Ｓｂ内に流体Ｗを吸い込むように作動すると、一次側共通ポート２６５を介して第二状態にある一方の接続用配管系３０ａ，３０ｂのバッファタンク３００ａ，３００ｂ内の流体Ｗが該往復動ポンプ２ａ，２ｂのポンプヘッド２０ａ，２０ｂに流入する。
【００８５】
この際、他方の接続用配管系３０ａ，３０ｂ（流路切換手段３０１ａ，３０１ｂ）が第一状態で、一方の接続用配管系３０ａ，３０ｂ（流路切換手段３０１ａ，３０１ｂ）が第二状態であるが、この状態においても、何れの往復動ポンプ２ａ，２ｂにおいても、一次側配管系１０３（循環ライン１００）の流体圧の影響を受けておらず、作動した往復動ポンプ２ａ，２ｂの逆止弁２３ａ，２３ｂ，２４ａ，２４ｂが正常に作動し、流体Ｗの吸入乃至吐出が正常に行われることになる。そして、流路切換手段３０１ａ，３０１ｂが第一状態になった一方の接続用配管系３０ａ，３０ｂのバッファタンク３００ａ，３００ｂのタンク用ダイヤフラム３０５ａ，３０５ｂは、変形状態から復元し、その復元に伴って流体Ｗが強制的に貯留空間Ｔａ，Ｔｂ内に吸い込まれ、二つの接続用配管系３０ａ，３０ｂが第一状態と第二状態とに切り換わるまでに貯留空間Ｔａ，Ｔｂ内に流体Ｗが充満した状態となる。
【００８６】
従って、各接続用配管系３０ａ，３０ｂを第一状態と第二状態とに交互に切り換えることで、各往復動ポンプ２ａ，２ｂの逆止弁２３ａ，２３ｂ，２４ａ，２４ｂに一次側配管系１０３の流体圧の影響を与えることなく流体Ｗが適正に供給されると共に、二つの往復動ポンプ２ａ，２ｂ（無脈動ポンプＰ）が正常に作動し、二次側共通ポート２６６に接続された二次側の配管５０から該流体Ｗが無脈動で連続的に吐出されることになる。
【００８７】
以上のように、本実施形態に係る往復動ポンプユニット１によれば、バッファタンク３００ａ，３００ｂと一次側配管系１０３とを連通させる一方でバッファタンク３００ａ，３００ｂと一次側逆止弁２３ａ，２３ｂとの連通を遮断する第一状態と、バッファタンク３００ａ，３００ｂと一次側配管系１０３との連通を遮断する一方でバッファタンク３００ａ，３００ｂと一次側逆止弁２３ａ，２３ｂとを連通させる第二状態とに切換可能な流路切換手段３０１ａ，３０１ｂを備えているので、一次側の流体圧が二次側よりも大きくても、往復動ポンプ２ａ，２ｂが作動するに際し、バッファタンク３００ａ，３００ｂ、逆止弁２３ａ，２３ｂ，２４ａ，２４ｂ、及び、ポンプヘッド２０ａ，２０ｂが一次側配管系１０３の流体圧の影響を受けない状態にすることができ、往復動ポンプ２ａ，２ｂで流体Ｗの吸入乃至吐出を円滑に行わせることができる。
【００８８】
そして、往復動ポンプ２ａ，２ｂを二つ備えた無脈動ポンプＰとして構成しても、接続用配管系３０ａ，３０ｂが、各往復動ポンプ２ａ，２ｂに対応して二系統設けられ、何れか一方の流路切換手段３０１ａ，３０１ｂが、第一状態にあるときに、他方の流路切換手段３０１ａ，３０１ｂが第二状態となるように構成したので、各往復動ポンプ２ａ，２ｂの流体Ｗの吸い込みと吐出とを適正に行うことができる。特に、接続用配管系３０ａ，３０ｂを二系統（二ライン）設け、これらを合流させて共通の接続ポート２６５ａ，２６５ｂ（一次側共通ポート２６５）に接続するようにしたので、各流路切換手段３０１ａ，３０１ｂを逆の状態となるように交互に切り換えるだけで、各往復動ポンプ２ａ，２ｂに流体Ｗを供給できる状態にすることができる。
【００８９】
そして、バッファタンク３００ａ，３００ｂの一次側及び二次側のそれぞれに設けられた一対の二方弁３０７ａ，３０８ａ、３０７ｂ，３０８ｂで一系統における流路切換手段３０１ａ，３０１ｂを構成し、何れか一方の二方弁３０７ａ，３０８ａ、３０７ｂ，３０８ｂが開放状態であるときに他方の二方弁３０７ａ，３０８ａ、３０７ｂ，３０８ｂが閉鎖状態になるように構成するようにしたので、第一状態と第二状態とに切り換えるに際し、往復動ポンプ２ａ，２ｂやバッファタンク３００ａ，３００ｂ等に一次側配管系１０３の流体圧の影響を与える状態が形成されるのを確実に防止することができる。
【００９０】
また、バッファタンク３００ａ，３００ｂの貯留空間Ｔａ，Ｔｂを、接続ポート３０３ａ，３０３ｂが形成された剛性を有する内周壁面と弾性変形自在なダイヤフラム２７ａ，２７ｂとで画すようにしたので、往復動ポンプ２ａ，２ｂの作動を阻害することなく流体Ｗを往復動ポンプ２ａ，２ｂに供給することができる上に、往復動ポンプ２ａ，２ｂに供給するための流体Ｗを円滑に貯留（補充）することができる。
【００９１】
次に、本発明の第二実施形態に係る往復動ポンプユニットについて説明する。なお、本実施形態に係る往復動ポンプユニットは、主たる構成が第一実施形態と同一であるので、第一実施形態に係る構成と同一又は相当する構成については同一名称及び同一符号を付して説明を割愛し、以下において相違する構成についてのみ説明することとする。また、本実施形態に係る往復動ポンプユニットの説明に用いる図６においては、図１と同様に、二つの往復動ポンプ２ａ，２ｂを一つ無脈動ポンプＰとして符号Ｐを付すこととする。
【００９２】
本実施形態に係る往復動ポンプユニット１は、図６に示す如く、第一実施形態と同様に、バッファタンク３００ａ，３００ｂ及び流路切換手段３０１ａ，３０１ｂを備えた接続用配管系３０ａ，３０ｂを二系統備えている。本実施形態においては、各接続用配管系３０ａ，３０ｂの流路切換手段３０１ａ，３０１ｂが一つの三方弁３０９ａ，３０９ｂで構成されており、該三方弁３０９ａ，３０９ｂの三つのポートＰ１，Ｐ２，Ｐ３のうち、二つのポートＰ１，Ｐ２のいずれにも連通可能な主ポートＰ３にバッファタンク３００ａ，３００ｂが接続されている。
【００９３】
前記流路切換手段３０１ａ，３０１ｂ（三方弁３０９ａ，３０９ｂ）は、流路の開閉（切り換え）を行うための駆動源を備えており、該駆動源がシーケンサ４０に電気的に接続され、シーケンス制御により、流路の切り換えを行うようになっている。即ち、一方の接続用配管系３０ａ，３０ｂにおける三方弁３０９ａ，３０９ｂ（流路切換手段３０１ａ，３０１ｂ）が第一状態にあるときに、他方の接続用配管系３０ａ，３０ｂにおける三方弁３０９ａ，３０９ｂ（流路切換手段３０１ａ，３０１ｂ）が第二状態となるよう、各接続配管系の三方弁３０９ａ，３０９ｂに対して流路を切り換えるようにシーケンス制御するように構成されている。
【００９４】
従って、本実施形態に係る往復動ポンプユニット１は、第一実施形態と同様の作用、及び効果を奏し、さらに、各接続用配管系３０ａ，３０ｂの流路切換手段３０１ａ，３０１ｂを一つの三方弁３０９ａ，３０９ｂとすることで、複数の弁のタイミングを計る必要がなく、各接続用配管系３０ａ，３０ｂにおいて第一状態と第二状態との切り換えを連動して行うことができる。従って、往復動ポンプユニット１の構成の簡素化は勿論のこと、全体の制御を簡素化することができる。
【００９５】
次に、本発明の第三実施形態に係る往復動ポンプユニットについて説明する。なお、本実施形態に係る往復動ポンプユニットについても、主たる構成が第一、及び第二実施形態と同一であるので、第一及び第二実施形態に係る構成と同一又は相当する構成については同一名称及び同一符号を付して説明を割愛し、以下において相違する構成についてのみ説明することとする。また、本実施形態に係る往復動ポンプユニットの説明に用いる図７においては、図１及び図６と同様に、二つの往復動ポンプ２ａ，２ｂを一つ無脈動ポンプＰとして符号Ｐを付すこととする。
【００９６】
本実施形態に係る往復動ポンプユニット１は、図７に示す如く、接続用配管構造体３がバッファタンク３００ａ及び流路切換手段３０１ａを備えた接続用配管系３０ａを一系統備えている。本実施形態に係る接続用配管系３０ａの流路切換手段３０１ａには、第二実施形態と同様に、三方弁３０９ａで構成されており、該三方弁３０９ａの三つのポートＰ１，Ｐ２，Ｐ３のうち、二つのポートＰ１，Ｐ２のいずれにも連通可能な主ポートＰ３にバッファタンク３００ａが接続されている。本実施形態に係る往復動ポンプユニット１の流路切換手段３０１ａ（三方弁３０９ａ）は、流路の開閉（切り換え）を行うための駆動源を備えている。各三方弁３０９ａの駆動源は、シーケンサ４０に電気的に接続されており、流路切換手段３０１ａの第一状態と第二状態との切り換え（流路の切換）をシーケンス制御により行うようになっている。
【００９７】
本実施形態に係る往復動ポンプユニット１は、接続用配管系３０ａを一系統にするに伴い、上記構成に加え、流体Ｗの流出入可能に構成され、流路切換手段３０１ａが第一状態にあるときに往復動ポンプ２ａ，２ｂに供給する流体Ｗを貯留する補助タンク４００を備えている。該補助タンク４００は、流路切換手段３０１ａと一次側逆止弁２３ａ，２３ｂとの間に配設されており、本実施形態においては、流路切換手段３０１ａと往復動ポンプ２ａ，２ｂの一次側共通ポート２６５とを接続する配管Ｌに流体的に接続されている。なお、該往復動ポンプユニット１の接続用配管系３０ａは、接続用配管系３０ａの流路切換手段３０１ａ（三方弁３０９ａ）、バッファタンク３００ａ、及び往復動ポンプ２ａ，２ｂの各接続についても配管（採番しない）を介してなされている。
【００９８】
該補助タンク４００は、前記バッファタンク３００ａと同一の構成にされており、図５を流用して説明すると、流体Ｗを貯留する貯留空間Ｔが形成されており、貯留された流体Ｗが往復動ポンプ２ａ，２ｂの作動で吸い出されるに際し、内部が負圧になって流体Ｗの流出が阻害されないように構成されている。具体的に説明すると、本実施形態に係る補助タンク４００は、奥部側ほど小径になるように円錐台状の凹部４０１が一方の面に形成されると共に、該凹部４０１と他方の面側とを連通させるように、該凹部４０１と略同心で貫通した接続ポート４０２が形成されたタンク本体４０３と、前記凹部４０１の開口を閉塞するように配設される円板状のタンク用ダイヤフラム４０４と、該タンク用ダイヤフラム４０４の外周縁部をタンク本体４０３との間に挟み込むようにして該タンク用ダイヤフラム４０４を固定すると共にタンク本体４０３に連結される蓋部材４０５とで構成されている。
【００９９】
上記構成の補助タンク４００は、上述の如く、流路切換手段３０１ａが第一状態にあるとき、即ち、一次側配管系１０３とバッファタンク３００ａとが連通し、往復動ポンプ２ａ，２ｂの一次側逆止弁２３ａ，２３ｂと一次側配管系１０３及びバッファタンク３００ａとが非連通状態になった状態で、何れか一方の往復動ポンプ２ａ，２ｂに供給する流体Ｗを貯留するものであるので、一つの往復動ポンプ２ａ，２ｂのダイヤフラム２７ａ，２７ｂ（往復動体）の往復動サイクル（作動サイクル）における一サイクル当たりの流体Ｗの吸入量（吐出量）の流体Ｗ、好ましくは吐出量以上の流体Ｗを貯留できるように構成されており、バッファタンク３００ａとの連通が遮断された状態（流路切換手段３０１ａが第一状態であるとき）であっても、往復動ポンプ２ａ，２ｂに流体Ｗを供給できるようになっている。
【０１００】
これに伴って、バッファタンク３００ａは、流路切換手段３０１ａが第二状態となったときに、往復動ポンプ２ａ，２ｂ及び補助タンク４００に供給する流体Ｗを貯留するべく、一つの往復動ポンプ２ａ，２ｂのダイヤフラム２７ａ，２７ｂの往復動サイクル（作動サイクル）における一サイクル当たりの流体Ｗの吸入量（吐出量）と補助タンク４００に補充する流体Ｗの補充（貯留）量の合計量以上の流体Ｗを貯留できるように構成されている。なお、補助タンク４００から往復動ポンプ２ａ，２ｂに流体Ｗを供給することができ、且つバッファタンク３００ａから往復動ポンプ２ａ，２ｂ及び補助タンク４００に流体Ｗを供給できることを前提に、補助タンク４００及びバッファタンク３００ａにおける流体Ｗの貯留量を同一にすれば、同一構成のタンクでバッファタンク３００ａ及び補助タンク４００を構成することができ、製造効率の向上やコストの低減に貢献することができる。
【０１０１】
本実施形態に係る往復動ポンプユニット１は、以上の構成からなり、次に、該往復動ポンプユニット１の作動について図７を参照して説明すると、流路切換手段３０１ａ（三方弁）が第一状態であるとき、バッファタンク３００ａが往復動ポンプ２ａ，２ｂと非連通状態になり、接続用配管系３０ａの流路切換手段３０１ａよりも二次側は、一次側配管系１０３からの流体圧の影響を受けなることなく、補助タンク４００が往復動ポンプ２ａ，２ｂと連通状態となる。この状態で、二次側逆止弁２４ａ，２４ｂは一次側配管系１０３の流体圧の影響を受けていないので、吐出ポート２２ａ，２２ｂ側の流路を閉鎖して作動空間Ｓａ，Ｓｂ内の気密性を確保した状態となる。従って、無脈動ポンプＰを構成する二つの往復動ポンプ２ａ，２ｂのうち、何れか一方の往復動ポンプ２ａ，２ｂが作動する（ダイヤフラム２７ａ，２７ｂが凹部４０１から離間する方向に膨出するように変形する）際に、補助タンク４００内の流体Ｗが一次側共通ポート２６５を介して吸入される。
【０１０２】
そして、一次側逆止弁２３ａ，２３ｂについても一次側配管系１０３の流体圧の影響を受けていないので、作動空間Ｓａ，Ｓｂ内に流体Ｗを吸入した後、一次側逆止弁２３ａ，２３ｂは、弁体２７２ａ，２７２ｂの自重によって吸入ポート２１ａ，２１ｂ側の流路を閉鎖して作動空間Ｓａ，Ｓｂ内の気密性を確保した状態となる。従って、流体Ｗを吐出させるべく、往復動ポンプ２ａ，２ｂが作動する（ダイヤフラム２７ａ，２７ｂが凹部２６２ａ，２６２ｂ内に膨出するように変形する）際に一次側逆止弁２３ａ，２３ｂがポンプヘッド２０ａ，２０ｂ（作動空間Ｓａ，Ｓｂ）に流入した流体Ｗが逆流するのを防止し、作動空間Ｓａ，Ｓｂ内の流体Ｗが吐出ポート２２ａ，２２ｂから吐出されることになる。
【０１０３】
そして、第一状態でバッファタンク３００ａ内に流体Ｗが流入しているので、流路切換手段３０１ａが第二状態になると、一次側配管系１０３での流体圧の影響を受けない状態で、バッファタンク３００ａ内の流体Ｗが補助タンク４００に補充されるとともに、先に作動した往復動ポンプ２ａ，２ｂに連続して作動する他方の往復動ポンプ２ａ，２ｂに吸入され、吐出ポート２２ａ，２２ｂから吐出されることになる。この場合においても、往復動ポンプ２ａ，２ｂ（逆止弁２３ａ，２３ｂ，２４ａ，２４ｂ）は、一次側配管系１０３の流体圧を影響を受けていない状態となっているので、逆止弁２３ａ，２３ｂ，２４ａ，２４ｂが適正に作動することになり、往復動ポンプ２ａ，２ｂによる流体Ｗの吸入（流入）及び吐出（流出）が適正に行われることになる。
【０１０４】
そして、第二状態において、バッファタンク３００ａから補助タンク４００に流体Ｗが供給されているので、流路切換手段３０１ａを再度第一状態に切り換え、一方の往復動ポンプ２ａ，２ｂが作動するに際し、上述のように補助タンク４００内の流体Ｗを供給することができる。従って、流路切換手段３０１ａを第一状態と第二状態とに交互に切り換えることで、一次側配管系１０３の流体圧の影響を与えることなく二つの往復動ポンプ２ａ，２ｂに流体Ｗが供給され、その結果、無脈動で流体Ｗを二次側の配管５０に送ることができる。
【０１０５】
以上のように、本実施形態に係る往復動ポンプユニット１は、第一実施形態と同様の作用及び効果を奏する上に、接続用配管系３０ａが一系統でシンプルな構成にすることができる。
【０１０６】
次に、本発明の第四実施形態に係る往復動ポンプユニットについて説明する。なお、本実施形態においても、第一乃至第三実施形態に係る構成と同一又は相当する構成については同一名称及び同一符号を付して説明を割愛し、以下において相違する構成についてのみ説明することとする。また、本実施形態に係る往復動ポンプユニットの説明に用いる図８においては、図１、図６及び図７と同様に、二つの往復動ポンプ２ａ，２ｂを一つ無脈動ポンプＰとして符号Ｐを付すこととする。
【０１０７】
詳細については図示しないが、本実施形態に係る往復動ポンプユニット１は、図８に示す如く、各往復動ポンプ２ａ，２ｂにおける吸入ポート２１ａ，２１ｂ側の流路がそれぞれ独立して形成されている。即ち、第一乃至第三実施形態とは異なり、往復動ポンプ２ａ，２ｂ毎に一次側の接続ポート２６５ａ，２６５ｂが設けられている。これに伴い、本実施形態においては、各往復動ポンプ２ａ，２ｂに対応して接続用配管系３０ａ，３０ｂが二系統設けられ、各接続用配管系３０ａ，３０ｂは、対応する往復動ポンプ２ａ，２ｂの接続ポート２６５ａ，２６５ｂに流体的に接続されている。そして、この二系統の接続用配管系３０ａ，３０ｂにおける一次側においては互いに合流して一次側配管系１０３（分岐配管１０１）に接続されている。
【０１０８】
各接続用配管系３０ａ，３０ｂは、流体Ｗを流出入可能に構成されたバッファタンク３００ａ，３００ｂと、バッファタンク３００ａ，３００ｂと一次側配管系１０３とを連通させる一方でバッファタンク３００ａ，３００ｂと一次側逆止弁２３ａ，２３ｂとの連通を遮断する第一状態と、バッファタンク３００ａ，３００ｂと一次側配管系１０３との連通を遮断する一方でバッファタンク３００ａ，３００ｂと一次側逆止弁２３ａ，２３ｂとを連通させる第二状態とに連続的に切り換えるように構成された流路切換手段３０１ａ，３０１ｂとを備え、該バッファタンク３００ａ，３００ｂ及び流路切換手段３０１ａ，３０１ｂは、第一実施形態と同一の構成となっている。
【０１０９】
本実施形態においては、各接続用配管系３０ａ，３０ｂが各往復動ポンプ２ａ，２ｂの接続ポート２６５ａ，２６５ｂに接続されているため、各接続用配管系３０ａ，３０ｂから対応する往復動ポンプ２ａ，２ｂへの流体Ｗの供給を行えるよう、各接続用配管系３０ａ，３０ｂの流路切換手段３０１ａ，３０１ｂを対応する往復動ポンプ２ａ，２ｂの吸入乃至吐出のタイミングに対応（同期）して各二方弁３０７ａ，３０８ａ、３０７ｂ，３０８ｂの開閉を行い、各流路切換手段３０１ａ，３０１ｂを第一状態及び第二状態に切り換えるようになっている。
【０１１０】
具体的に説明すると、本実施形態に係る往復動ポンプユニット１は、各接続用配管系３０ａ，３０ｂの流路切換手段３０１ａ，３０１ｂを構成する一対の二方弁３０７ａ，３０８ａ、３０７ｂ，３０８ｂの何れか一方が開放状態であるときに他方の二方弁３０７ａ，３０８ａ、３０７ｂ，３０８ｂが閉鎖状態になることを前提に、各二方弁３０７ａ，３０８ａ、３０７ｂ，３０８ｂの開閉を行うことで第一状態と第二状態とに切り換えるように構成されている。
【０１１１】
本実施形態において、各二方弁３０７ａ，３０８ａ、３０７ｂ，３０８ｂは、流路の開閉を行うための駆動源を備えており、各駆動源は、無脈動ポンプＰを構成する二つの往復動ポンプ２ａ，２ｂのそれぞれの作動状態を入力信号として受けるコントローラ４２に接続されている。これにより、コントローラ４２からの信号を受けて各駆動源が駆動し、各二方弁３０７ａ，３０８ａ、３０７ｂ，３０８ｂの流路の開閉を行うことで、各接続用配管系３０ａ，３０ｂの流路切換手段３０１ａ，３０１ｂを第一状態と第二状態とに切り換えるように構成されている。このように各往復動ポンプ２ａ，２ｂの作動状態から得られる入力信号を基に、各二方弁３０７ａ，３０８ａ、３０７ｂ，３０８ｂを切り換えることで、一方の往復動ポンプ２ａ，２ｂが流体Ｗを吸入する際にその往復動ポンプ２ａ，２ｂに対応する接続用配管系３０ａ，３０ｂの流路切換手段３０１ａ，３０１ｂが第二状態となってバッファタンク３００ａ，３００ｂ内の流体Ｗを吸入できる状態となり、流体Ｗの吸入及び吐出を行っていない他方の往復動ポンプ２ａ，２ｂに対応する接続用配管系３０ａ，３０ｂの流路切換手段３０１ａ，３０１ｂが第一状態となって次の作動に備えて一次側配管系１０３からバッファタンク３００ａ，３００ｂ内に流体Ｗを流入させる状態となるようになっている。
【０１１２】
なお、コントローラ４２に入力される前記入力信号は、例えば、往復動ポンプ２ａ，２ｂの駆動モータの回転数から各偏心カム２５２ａ，２５２ｂの位相状態等を算出し、これも基に往復動ポンプ２ａ，２ｂの作動状態に対応した入力信号としたり、センサーやエンコーダを用いて各偏心カム２５２ａ，２５２ｂの回転角度（姿勢）を認識し、これも基に往復動ポンプ２ａ，２ｂの作動状態に対応した入力信号としたりすることができる。
【０１１３】
従って、本実施形態に係る往復動ポンプユニット１においても、各二方弁３０７ａ，３０８ａ、３０７ｂ，３０８ｂの開閉を切り換えることで、各往復動ポンプ２ａ，２ｂの流体Ｗの吸入及び吐出に対応させて各接続用配管系３０ａ，３０ｂの流路切換手段３０１ａ，３０１ｂを第一状態と第二状態とに連続的に切り換えることができ、第一乃至第三実施形態と同様に、各往復動ポンプ２ａ，２ｂが流体Ｗを吸入して吐出する際、各逆止弁２３ａ，２３ｂ，２４ａ，２４ｂが一次側配管系１０３の流体圧の影響を受けることがなく、各往復動ポンプ２ａ，２ｂの流体Ｗの吸い込みと吐出とを適正に行うことができる。
【０１１４】
尚、本発明の往復動ポンプユニット、及び往復動ポンプ接続用配管構造体は、上記実施の形態に限定されるものではなく、本発明の要旨を逸脱しない範囲内において種々変更を加え得ることは勿論である。
【０１１５】
上記第一乃至第四実施形態の何れにおいても、往復動ポンプ２ａ，２ｂ及び接続用配管構造体３を備えた往復動ポンプユニット１について説明したが、例えば、往復動ポンプ２ａ，２ｂを一次側配管系１０３に接続するための接続用配管構造体３単体としてもよい。このようにしても、往復動ポンプ２ａ，２ｂと一次側配管系１０３との間に接続用配管構造体３を介設することで、往復動ポンプユニット１と同様の作用及び効果を奏することができる。
【０１１６】
上記第一乃至第四実施形態の何れにおいても、往復動ポンプ２ａ，２ｂを二つ設けて無脈動ポンプＰを構成するようにしたが、これに限定されるものではなく、一つの往復動ポンプ２ａ，２ｂ（定容積式の脈動ポンプ）に対して接続用配管構造体３（接続用配管系３０ａ，３０ｂ）を接続してもよい。このようにしても、往復動ポンプ２ａ，２ｂが流体Ｗを吸入するに際し、接続用配管系３０ａ，３０ｂを構成する流路切換手段３０１ａ，３０１ｂを第二状態にすることで、一次側配管系１０３からの流体圧の影響を受けることなくバッファタンク３００ａ，３００ｂ内の流体Ｗを供給することができる。従って、往復動ポンプ２ａ，２ｂの逆止弁２３ａ，２３ｂ，２４ａ，２４ｂを正常に作動させることができ、供給される流体Ｗを吸入して吐出する工程を円滑且つ確実に行うことができる。
【０１１７】
上記第一乃至第四実施形態の何れにおいても、往復動ポンプ２ａ，２ｂの一例としてダイヤフラムポンプについて説明したが、これに限定されるものではなく、例えば、吸入ポート２１ａ，２１ｂ及び吐出ポート２２ａ，２２ｂに逆止弁２３ａ，２３ｂ，２４ａ，２４ｂが設けられたピストンポンプであってもよい。即ち、往復動体が内装されたポンプヘッドの吸入ポート及び吐出ポートのそれぞれに逆止弁が流体的に接続された往復動ポンプであればよい。
【０１１８】
上記第一乃至第四実施形態の何れにおいても、流体Ｗを貯留する貯留空間Ｔａ，Ｔｂを剛性のある内周壁面とタンク用ダイヤフラム３０５ａ，３０５ｂとで画したバッファタンク３００ａ，３００ｂを採用したが、例えば、流体Ｗを貯留可能に外部開放した一般的なタンクであってもよい。この場合、かかるタンクは外部開放しているので、往復動ポンプ２ａ，２ｂが流体Ｗを吸入するに際してバッファタンク３００ａ，３００ｂの貯留空間Ｔａ，Ｔｂが負圧になることがないため、貯留した流体Ｗを往復動ポンプ２ａ，２ｂに円滑に供給することができる。また、一次側配管系１０３の流体圧が高いので、流路切換手段３０１ａ，３０１ｂを第一状態にすると、その一次側配管系１０３の流体圧によってバッファタンク３００ａ，３００ｂ内に流体Ｗを供給することができる。但し、タンクの配置等による水頭差等の影響により、一次側配管系１０３の流体圧のみでバッファタンク３００ａ，３００ｂ内の流体Ｗを十分に供給できない場合や、外気等に触れさせることを嫌う流体Ｗ（例えば、薬品や薬剤、飲料等の場合）には、上記実施形態で説明したバッファタンク３００ａ，３００ｂを採用することが好ましい。
【０１１９】
上記第一乃至第四実施形態の何れにおいても、一次側配管系１０３として流体Ｗを圧送する循環ライン１００を一例にして説明したが、これに限定されるものではなく、例えば、上流から下流に向けて流体Ｗを圧送する主配管に上記構成の往復動ポンプユニット１（接続用配管構造体３）を接続するようにしてもよい。即ち、吸入ポート２１ａ，２１ｂに接続される一次側配管系１０３の流体圧が往復動ポンプ２ａ，２ｂの吐出ポート２２ａ，２２ｂ側（二次側）よりも大きくなよるものであれば、流体Ｗの循環の有無に関係なく上記構成の何れの往復動ポンプユニット１或いは往復動ポンプユニット１接続用構造体を適用することができる。
【０１２０】
上記第一乃至第四実施形態の何れにおいても、往復動ポンプ２ａ，２ｂの逆止弁２３ａ，２３ｂ，２４ａ，２４ｂに弁体２７２ａ，２７２ｂ，２７３ａ，２７３ｂの自重によって流路を閉塞するものを採用したが、例えば、弁体２７２ａ，２７２ｂ，２７３ａ，２７３ｂがバネ等によって付勢されて逆止弁２３ａ，２３ｂ，２４ａ，２４ｂであってもよい。即ち、一次側配管系１０３における流体圧がバネ体の付勢力に打ち勝つようにな場合には、流路の閉塞を円滑に行えない場合があるが、上述の如く、往復動ポンプ２ａ，２ｂが流体Ｗを吸入乃至吐出するに際して一次側配管系１０３の流体圧の影響を受けることがないため、バネ体の付勢力を有効的に作用させて流路の開閉を円滑に行うことができる。
【０１２１】
また、逆止弁２３ａ，２３ｂ，２４ａ，２４ｂの弁体２７２ａ，２７２ｂ，２７３ａ，２７３ｂは、球状のものに限定されるものではなく、例えば、弁座２７６ａ，２７６ｂ，２７７ａ，２７７ｂの穴に先端側が嵌り込むように構成された逆円錐状の弁体２７２ａ，２７２ｂ，２７３ａ，２７３ｂを備えたものであってもよい。
【０１２２】
上記第四実施形態において、往復動ポンプ２ａ，２ｂの接続ポート２６５ａ，２６５ｂをそれぞれ独立するように形成し、各接続ポート２６５ａ，２６５ｂに接続用配管系３０ａ，３０ｂを接続するようにしたが、例えば、両方の往復動ポンプ２ａ，２ｂの接続ポート２６５ａ，２６５ｂ同士を流体的に接続するジョイントを設け、このジョイントに両方の往復動ポンプ２ａ，２ｂに対する共通する一次側共通ポート２６５を形成し、この一次側共通ポート２６５に対して第一乃至第三実施形態に係る構成で接続用配管系３０ａ，３０ｂを接続するようにしても勿論よい。
【図面の簡単な説明】
【０１２３】
【図１】本発明の第一実施形態に係る往復動ポンプユニットを循環ラインに接続した概略配管図を示す。
【図２】第一乃至第四実施形態に係る往復動ポンプにおける一部断面を含んだ側面図を示す。
【図３】第一乃至第四実施形態に係る往復動ポンプにおける断面正面図であって、図２のＩ−Ｉ断面を示す。
【図４】第一乃至第四実施形態に係る往復動ポンプの駆動伝達手段の一部と駆動手段とを組み立てた状態の平面断面図を示す。
【図５】第一乃至第四実施形態に係るバッファタンク（第四実施形態の補助タンク）の縦断面図を示す。
【図６】本発明の第二実施形態に係る往復動ポンプユニットを循環ラインに接続した概略配管図を示す。
【図７】本発明の第三実施形態に係る往復動ポンプユニットを循環ラインに接続した概略配管図を示す。
【図８】本発明の第四実施形態に係る往復動ポンプユニットを循環ラインに接続した概略配管図を示す。
【符号の説明】
【０１２４】
１…往復動ポンプユニット、２ａ，２ｂ…往復動ポンプ、３…接続用配管構造体（往復動ポンプ接続用配管構造体）、２０ａ，２０ｂ…ポンプヘッド、２１ａ，２１ｂ…吸入ポート、２２ａ，２２ｂ…吐出ポート、２３ａ，２３ｂ…一次側逆止弁（逆止弁）、２４ａ，２４ｂ…二次側逆止弁（逆止弁）、２５…ポンプ駆動手段、２６ａ，２６ｂ…ケーシング、２７ａ，２７ｂ…ダイヤフラム、２８ａ，２８ｂ…駆動伝達手段、３０ａ，３０ｂ…接続用配管系、３５…筐体、４０…シーケンサ、４２…コントローラ、５０…配管、１００…循環ライン、１０１…分岐配管、１０２…貯留タンク、１０３…一次側配管系、１０３ａ…第一配管、１０３ｂ…圧送ポンプ、１０３ｃ…第二配管、２５０…電動モータ、２５１…減速機構、２５２ａ，２５２ｂ…偏心カム、２５３ａ，２５３ｂ…出力軸、２６０ａ，２６０ｂ…ケース本体、２６１ａ，２６１ｂ…取付部材、２６２ａ，２６２ｂ…凹部、２６３ａ，２６３ｂ，２６４ａ，２６４ｂ…逆止弁内装穴、２６５…一次側共通ポート、２６５ａ，２６５ｂ…接続ポート、２６６…二次側共通ポート、２６６ａ，２６６ｂ…接続ポート、２６７ａ，２６７ｂ…嵌入部、２６８ａ，２６８ｂ…部材本体、２６９ａ，２６９ｂ…貫通穴、２７０ａ，２７０ｂ，２７１ａ，２７１ｂ…ハウジング、２７２ａ，２７２ｂ，２７３ａ，２７３ｂ…弁体、２７４ａ，２７４ｂ，２７５ａ，２７５ｂ…弁体内装穴、２７６ａ，２７６ｂ，２７７ａ，２７７ｂ…弁座、２８０ａ，２８０ｂ…シャフト体、２８１ａ，２８１ｂ…案内体、２８２ａ，２８２ｂ…ベース体、２８３ａ，２８３ｂ…コイルバネ、２８４ａ，２８４ｂ…ローラ、２８５ａ，２８５ｂ…フレーム部、２８６ａ，２８６ｂ…第一バネ座部、２８７ａ，２８７ｂ…シャフト体挿通穴、２８８ａ，２８８ｂ…ブッシュ、２８９ａ，２８９ｂ…第二バネ座部、２９０ａ，２９０ｂ…雄ネジ部、３００ａ，３００ｂ…バッファタンク、３０１ａ，３０１ｂ…流路切換手段、３０２ａ，３０２ｂ，４０１…凹部、３０３ａ，３０３ｂ，４０２…接続ポート、３０４ａ，３０４ｂ，４０３…タンク本体、３０５ａ，３０５ｂ，４０４…タンク用ダイヤフラム、３０６，３０６ｂ，４０５…蓋部材、３０７ａ，３０８ａ、３０７ｂ，３０８ｂ…二方弁、３０９ａ，３０９ｂ…三方弁、３５０ａ，３５０ｂ…雌ネジ穴、４００…補助タンク、Ｌ…配管、Ｐ…無脈動ポンプ、Ｐ１…ポート、Ｐ２…ポート、Ｐ３…主ポート（ポート）、Ｓａ，Ｓｂ…作動空間、Ｔ，Ｔａ，Ｔｂ…貯留空間、Ｗ…流体
【図１】
0004585415.tif 000002
【図２】
0004585415.tif 000003
【図３】
0004585415.tif 000004
【図４】
0004585415.tif 000005
【図５】
0004585415.tif 000006
【図６】
0004585415.tif 000007
【図７】
0004585415.tif 000008
【図８】
0004585415.tif 000009